(57)【要約】      （修正有）【課題】緊急時に体型に合わせて簡単に調整できる救命胴衣を収容して、常時は椅子のクッションとして使用する防災クッションを提供する。【解決手段】通常、袋体に収容されて椅子のクッションとして使用される救命胴衣３は、板状発泡体をそれぞれ備えた前身頃３１及び後身頃３２と、前身頃３１及び後身頃３２の各上部を連結する一対の上部固定バンド３３と、前身頃３１及び後身頃３２の左右各側部をそれぞれ連結する左右の側部調整バンド３４と、前身頃３１及び後身頃３２の各下部を差込及び受け具からなるバックルを介して着脱自在に連結する下部固定バンド３５とから構成される。そして、各側部調整バンド３４の牽引バンド３４３の各端縁部が、前身頃にバンドを介して連結された一対の留め具３４２をそれぞれ折り返して後身頃に連結され、前身頃及び後身頃の間隔を狭める方向の牽引バンド３４３の引き出しを許容し、その間隔を広げる方向の牽引バンド３４３の引き出しを阻止する。【選択図】図４
0003175055.tif 000002
【実用新案登録請求の範囲】
【請求項１】
一面にスライドファスナーを介して開閉自在な取出口を有する袋体にクッションとしての救命胴衣を収容してなる防災クッションであって、前記救命胴衣は、板状発泡体をそれぞれ備えた前身頃及び後身頃と、前身頃及び後身頃の各上部を連結する一対の上部固定バンドと、前身頃及び後身頃の左右各側部をそれぞれ連結する左右の側部調整バンドと、前身頃及び後身頃の各下部を差込及び受け具からなるバックルを介して着脱自在に連結する下部固定バンドとからなり、各側部調整バンドの牽引バンドの各端縁部が、前身頃及び後身頃の一方にバンドを介して連結された一対の留め具をそれぞれ折り返して前身頃及び後身頃の他方に連結され、前身頃及び後身頃の間隔を狭める方向の牽引バンドの引き出しを許容し、その間隔を広げる方向の牽引バンドの引き出しを阻止することを特徴とする防災クッション。
【請求項２】
請求項１に記載の防災クッションにおいて、前記救命胴衣が二つ折りされたクッション材に挟まれて袋体に収容されることを特徴とする防災クッション。
【請求項３】
請求項２に記載の防災クッションにおいて、前記クッション材が、二つ折りされた状態で一方の対向する側端縁を連結するスライドファスナーを備えるとともに、他方の側端縁近傍に互いに結束可能な一対の結束バンドがそれぞれ縫製されることを特徴とする防災クッション。
【考案の詳細な説明】
【技術分野】
【０００１】
この考案は、救命胴衣を収容した防災クッションに関するものである。
【背景技術】
【０００２】
従来、救命胴衣は、船舶等に安全を確保するように常備されている他、海上レジャーに際して使用される。
【０００３】
一方、登校時や出社時において、地震等による津波や集中豪雨による洪水に遭遇する可能性があり、その際、救命胴衣を装着すれば、溺れることを防止できることから、生存の確率が少なからず高まるものと考えられる。しかしながら、学校や会社等において、救命胴衣は常備されているわけではない。
【０００４】
また、救命胴衣は、通常、ベスト状に形成され、各自が着用して自らの体型に合致するように、連結バンドの長さを調整して固定するようにしている（例えば、特許文献１参照）。
【先行技術文献】
【特許文献】
【０００５】
【特許文献１】特開２００９ー１３２３３９号公報
【考案の概要】
【考案が解決しようとする課題】
【０００６】
ところで、仮に救命胴衣を学校等に常備したとしても、津波や洪水等に遭遇した場合を想定すると、児童、特に、低学年の児童は自分の体型に合うように連結バンドの長さを調整して固定することができない場合が考えられる。この場合、救命胴衣をしっかりと固定しないと、その浮力によって救命胴衣が装着者から離脱するおそれがある。また、連結バンドの長さを調整して固定できたとしても、時間がかかることも予想される。この際、先生が多数の児童に対して個々の連結バンドの長さを調整することも一応考えられるが、徒に時間が経過し、速やかに避難が必要な場合に脱出の機会を失するものとなり、事実上不可能である。
【０００７】
本考案は、このような問題点に鑑みてなされたもので、緊急時に体型に合わせて簡単に調整できる救命胴衣を収容して、常時は椅子のクッションとして使用することのできる防災クッションを提供するものである。
【課題を解決するための手段】
【０００８】
本考案は、一面にスライドファスナーを介して開閉自在な取出口を有する袋体にクッションとしての救命胴衣を収容してなる防災クッションであって、前記救命胴衣は、板状発泡体をそれぞれ備えた前身頃及び後身頃と、前身頃及び後身頃の各上部を連結する一対の上部固定バンドと、前身頃及び後身頃の左右各側部をそれぞれ連結する左右の側部調整バンドと、前身頃及び後身頃の各下部を差込及び受け具からなるバックルを介して着脱自在に連結する下部固定バンドとからなり、各側部調整バンドの牽引バンドの各端縁部が、前身頃及び後身頃の一方にバンドを介して連結された一対の留め具をそれぞれ折り返して前身頃及び後身頃の他方に連結され、前身頃及び後身頃の間隔を狭める方向の牽引バンドの引き出しを許容し、その間隔を広げる方向の牽引バンドの引き出しを阻止することを特徴とするものである。
【０００９】
本考案によれば、通常、防災クッションは、椅子の座部に配置され、臀部を支持するクッションとして機能している。
【００１０】
一方、緊急避難時においては、袋体のスライドファスナーを引き下ろして取出口を開口し、内部に収容された救命胴衣を引き出す。そして、ベストを着用するように、頭部を前身頃及び後身頃の空間を経て一対の上部固定バンドの間から上方に抜き出すとともに、左右の腕をそれぞれ前身頃及び後身頃の空間を経て上部固定バンドと左右の側部調整バンドとの間から外方に突出させる。次いで、左右の側部調整バンドの牽引バンドの中間部を把握して引き出せば、前身頃及び後身頃の間隔が狭まり、着用者の胸部を正面側及び背面側から圧迫するように密着する。さらに、下部固定バンドのバックルを形成する受け具及び差込を股を通して連結し、固定する。
【００１１】
この際、前身頃及び後身頃の間隔を広げる方向の牽引バンドの引き出しは阻止されており、救命胴衣の前身頃及び後身頃は、胸部を密着する状態に固定され、装着者から浮力によって離脱することが防止される。
【００１２】
この結果、防災クッションの袋体から救命胴衣を取り出し、ベストを着用するように装着して左右の側部調整バンドの牽引バンドを把握して引き出す、といった簡単な操作によって脱落を防止して救命胴衣を取り付けることができる。したがって、児童等が救命胴衣を必要とする場合であっても、先生や保護者等の手助けを可及的に減少させて短時間に装着することができ、緊急時に速やかに対応することができる。
【００１３】
本考案において、前記救命胴衣が二つ折りされたクッション材に挟まれて袋体に収納されることが好ましい。これにより、救命胴衣のフロート材、例えば、板状発泡体の硬質感を和らげることができ、クッション機能を向上させることができる。
【００１４】
本考案において、前記クッション材が、二つ折りされた状態で一方の対向する側端縁を連結するスライドファスナーを備えるとともに、他方の側端縁近傍に互いに結束可能な結束バンドがそれぞれ縫製されることが好ましい。これにより、クッション材を二つ折りしてスライドファスナーを引き上げれば、防災頭巾を形成することができ、頭部を保護することができる。
【考案の効果】
【００１５】
本考案によれば、緊急時に体型に合わせて簡単に調整できる救命胴衣を収容して、常時は椅子のクッションとして使用することができる。
【図面の簡単な説明】
【００１６】
【図１】本考案の防災クッションの一実施形態を一部破断して示す斜視図である。
【図２】図１の防災クッションの救命胴衣を示す斜視図である。
【図３】図１の防災クッションのクッション材を防災頭巾状に形成して示す正面図である。
【図４】図２の救命胴衣を装着した状態を示す斜視図である。
【考案を実施するための形態】
【００１７】
以下、本考案の実施の形態を図面に基づいて説明する。
【００１８】
図１乃至図３には、本考案の防災クッション１の一実施形態が示されている。
【００１９】
この防災クッション１は、椅子の座部に対応して上方より見て略正方形状の板状体を収容可能な空間を形成した袋体２と、袋体２の空間に収容可能な救命胴衣３と、救命胴衣３を二つ折りして挟み込むことができる大きさのクッション材４とからなり、二つ折りしたクッション材４で救命胴衣３を挟み込んだ状態で袋体２内に収容されている。
【００２０】
袋体２は、上方より見て略正方形状の板状体を収容可能な空間を形成したカバー２１と、カバー２１に各端縁部が縫製され、図示しないアジャスターを介して長さを調整可能なバンド２２とからなり、カバー２１の周囲側面の一面には、二つ折りされたクッション材４によって挟み込まれた救命胴衣３を出し入れするため、ファスナー２３を介して開閉自在な取出口が形成されている。
【００２１】
ここで、カバー２１は、緊急時において、救命胴衣３及びクッション材４を取り出した際には、それらの収容空間に飲料水や貴重品等の必要最小限の携行品を詰め込むことができる。また、バンド２２は、通常、椅子の背部に掛けて椅子からの脱落を防止する一方、避難する際は、肩掛けとして使用する。
【００２２】
救命胴衣３は、平面視略正面形状のフロート材、例えば、板状発泡体及びその周囲を覆う防水カバーからなる前身頃３１及び後身頃３２と、これらの前身頃３１及び後身頃３２の各上部に左右方向に間隔をおいてそれぞれ各端縁部が縫着された一対の上部固定バンド３３と、前身頃３１及び後身頃３２の左右各側部に設けられた側部調整バンド３４，３４（図２には、右方の側部調整バンド３４のみが示されている。）と、前身頃３１及び後身頃３２の下部に設けられた下部固定バンド３５とから構成されている。
【００２３】
ここで、各側部調整バンド３４は、前身頃３１の左右各側部にそれぞれ上下方向に間隔をおいてバンド３４１を介して連結された一対の留め具３４２（例えば、ＹＫＫファスニングプロダクツ販売株式会社の販売に係るプラスチックコキ）と、左右各一対の留め具３４２を経て後身頃３２の左右各側部に上下方向に間隔をおいて各端縁部がそれぞれ縫着された左右の牽引バンド３４３とからなり、牽引バンド３４３の中間部を左右の各手で把握して牽引することにより、牽引バンド３４３を留め具３４２を経て引き出し、前身頃３１に対して後身頃３２を接近するように引き寄せることができる。一方、留め具３４２よりも後身頃３２側の牽引バンド３４３をそのまま牽引しても、留め具３４２による牽引バンド３４３の大きな抵抗によって引き出すことはできないものである。
【００２４】
すなわち、留め具３４２は、牽引バンド３４３の折返し部に、一方向の牽引バンド３４３の引き出しを許容し、他方向の牽引バンド３４３の引き出し（留め具３４２よりも後身頃３２側の牽引バンド３４３の引き出し）を阻止する略鋸歯状の抵抗部（図示せず）が形成されている。このため、牽引バンド３４３を引き出せば、その引き出した際の前身頃３１及び後身頃３２の間隔に保持することができる。
【００２５】
なお、前身頃３１及び後身頃３２の間隔を広げる方向に調整するには、留め具３４２の抵抗部による牽引バンド３４３に対する抵抗が解消するように、牽引バンド３４３に対して留め具３４２を起こした状態に保持し、留め具３４２よりも後身頃３２側の牽引バンド３４３を牽引すればよい。
【００２６】
また、下部固定バンド３５は、前身頃３１の下部にバンド３５１を介して連結された受け具３５２と、後身頃３２の下部にバンド３５３を介して連結された差込３５４とからなり、受け具３５２に差込３５４を差し込むことにより、バックルを形成して両者を連結することができる。
【００２７】
クッション材４は、クッション性素材を内包した長方形状のキルティング生地４１及び該キルティング生地４１の長手方向一側端縁近傍において、その長手方向を二等分する中間線に関して左右対称位置にそれぞれ縫製された結束バンド４２からなり、キルティング生地４１の長手方向他側端縁には、二つ折りした際にそれらの対向する端縁を連結可能なスライドファスナー４３が設けられている。すなわち、二つ折りしたキルティング生地４１の対向する他方の側端縁には、スライドを介して互いに噛み合う多数の務歯を植設したテープがそれぞれ縫製されており、スライドファスナー４３を介して対向する一方の側端縁を連結した際には、防災頭巾状に形成することができる（図３参照）。
【００２８】
このように構成された防災クッション１は、通常、袋体２のカバー２１内に救命胴衣３が二つ折りしたクッション材４によって挟まれて収容されており、バンド２２が椅子の背部に掛け止めされて椅子のクッションとして使用されている。この場合、救命胴衣３の板状発泡体の硬質感をクッション材４のクッション性素材によって緩和し、クッションとしての機能を補助している。
【００２９】
一方、救命胴衣３を着用する緊急時が発生した場合は、袋体２のバンド２２を椅子の背部から引き上げて防災クッション１を離脱させた後、カバー２１のスライドファスナー２３を引き下げて取出口を開口させ、開口した取出口を通して二つ折りしたクッション材４及び該クッション材４によって挟み込まれた救命胴衣３を取り出す。そして、救命胴衣３の後身頃３２を把握し、前身頃３１及び後身頃３２との空間に頭部を差し込む一方、左右一方の腕を前身頃３１及び後身頃３２との空間に差し込むとともに、該一方の腕に対応する側の上部固定バンド３３及び側部調整バンド３５との間を通して外方に突き出し、合わせて、頭部を上部固定バンド３３，３３の間を通して上方に突出させる。その後、左右他方の腕を前身頃３１及び後身頃３２との空間に差し込み、該他方の腕に対応する側の上部固定バンド３３及び側部調整バンド３４との間を通して外方に突き出す。これにより、図４に示すように、正面側に前身頃３１が、背面側に後身頃３２がそれぞれ配置された状態に救命胴衣３を装着することができる。
【００３０】
救命胴衣３を装着したならば、左右の手でそれぞれ左右の側部調整バンド３４の牽引バンド３４３の略中間部を把握し、左右の間隔を広げるように外方に向けて引き出す。この場合、各牽引バンド３４３は、上下の留め具３４２を通して後身頃３２に各端縁部が縫着されていることにより、後身頃３２を前身頃３１との間隔を狭めるように接近させ、前身頃３１を正面に、後身頃３２を背面にそれぞれ密着させて胸部を前後から圧迫するように挟み込む。
【００３１】
この際、牽引バンド３４３は、前身頃３１に対して後身頃３２を間隔を狭めるように引き出すことはできるものの、留め具３４２よりも後身頃３２側の牽引バンド３４３を把握し、前身頃３１に対して後身頃３２を間隔を広げるように牽引しても、留め具３４２との大きな抵抗によって牽引バンド３４３を引き出すことは阻止されている。このため、前身頃３１及び後身頃３２の間隔は、牽引バンド３４３を引き出した接近状態に事実上保持され、装着者から救命胴衣３が離脱することを防止できる。
【００３２】
さらに、下部固定バンド３５における後身頃３２側に連結された差込３５４を把持し、股を通して正面側に引上げた後、前身頃３１側に連結された受け具３５２に差し込み、バックルを形成して両者を固定する。これにより、救命胴衣３の前身頃３１及び後身頃３２は、股下を通過する下部固定バンド３５によって連結され、救命胴衣３の離脱を確実に防止できる。
【００３３】
このように、救命胴衣３は、ベストを着用するように、前身頃３１及び後身頃３２の間を経て頭部を抜き出すとともに、左右の腕を突き出して装着した後、左右の側部調整バンド３４の牽引バンド３４３を把握して引き出す、といった簡単な操作により装着した状態に保持することができる。このため、学校において、児童、特に、低学年の児童であっても、簡単に、かつ、短時間に装着して離脱しない状態に保持することが可能となり、緊急避難までに要する時間を短縮することができるとともに、先生や保護者等の手助けを可及的に減少することができる。
【００３４】
さらに、クッション材４を把持し、キルティング生地４１を二つ折りした状態でスライドファスナー４３を引き上げて対向する他方の側端縁を連結し、防災頭巾に形成した後、クッション材４、すなわち、防災頭巾を頭部に被り、結束バンド４３を顎にかけて結束すればよい。
【００３５】
また、カバー２の袋体２１に飲料水等を詰め込み、バンド２２を肩にかけることにより、避難の準備が完了する。
【００３６】
この結果、避難に際して万が一津波や洪水に遭遇したとしても、救命胴衣３によって溺れることはなく、児童等の生存の確率を高めることができる。
【００３７】
本考案においては、児童を対象としたことにより、体重５５ｋｇを浮上させることのできるように、浮力を約５４Ｎに設定したが、使用対象者に合わせて浮力を調整できることは言うまでもない。
【００３８】
なお、前述した実施形態においては、留め具３４２を連結したバンド３４１の端縁部を前身頃３１に、牽引バンド３４３の各端縁部を後身頃３２にそれぞれ縫着した場合を例示したが、留め具３４２を連結したバンド３４１の端縁部を後身頃３２に、牽引バンド３４３の各端縁部を前身頃３１にそれぞれ縫着しても構わない。
【符号の説明】
【００３９】
１  防災クッション
２  袋体
３  救命胴衣
３１  前身頃
３２  後身頃
３３  上部固定バンド
３４  側部調整バンド
３４２  留め具
３４３  牽引バンド
３５  下部固定バンド
４  クッション材
４１  キルティング生地
４２  結束バンド
４３  スライドファスナー
【図１】
0003175055.tif 000003
【図２】
0003175055.tif 000004
【図３】
0003175055.tif 000005
【図４】
0003175055.tif 000006